(57)【要約】【課題】メンテナンス作業の簡素化を図ることができ、作業効率を良好にすることが可能な照明器具を提供する。【解決手段】本発明は、器具本体１と、光源部４と、光源部４の光を出射するフロント部材開口と、光源部４を点灯制御する点灯装置５とを有するフロント部材２と、フロント部材開口が設けられた前面壁上に形成された貫通孔に挿通されるとともに、器具本体１にフロント部材２を着脱可能に取付ける取付具３とを備えた照明器具である。【選択図】図２
2012243392.tif 000002
【特許請求の範囲】
【請求項１】
器具本体と；
光源部と、光源部の光を出射するフロント部材開口と、光源部を点灯制御する点灯装置とを有するフロント部材と；
フロント部材開口が設けられた前面壁上に形成された貫通孔に挿通されるとともに、器具本体にフロント部材を着脱可能に取付ける取付具と；
を具備することを特徴とする照明器具。
【請求項２】
フロント部材は、フロント部材開口と貫通孔とを有する前面壁と、前面壁から突出して設けられるとともに箱状の空間を形成する側面壁と、前面壁と側面壁とにより形成された箱状の空間に前面壁と略平行に設けられる背面壁とを備え、
光源部は背面壁の前面壁側に設けられるとともに、点灯装置は背面壁の光源部が設けられる他方面側に設けられることを特徴とする請求項１に記載の照明器具。
【請求項３】
器具本体に設けられる係止手段と；
係止手段を挿通させるとともに背面壁に設けられる背面壁開口と；を具備し、
取付具は、頭部と、頭部から延出するとともに直径方向であって軸方向に沿って形成された導入スリットと導入スリットの端部から連続するように周方向に形成された係止スリットとを有する筒状の軸部とを備え、
取付具の軸部を貫通孔に挿通させ、背面壁開口に挿通された係止手段を導入スリットに導入するとともに係止スリットに係合することにより、フロント部材は器具本体に対して固定されることを特徴とする請求項２に記載の照明器具。
【発明の詳細な説明】
【技術分野】
【０００１】
本発明の実施形態は、光源部及びこの光源部を点灯制御する点灯装置を備えた照明器具に関する。
【背景技術】
【０００２】
従来、例えば、バスや鉄道車両等の車両における車内灯に用いられる照明器具は、車両の天井面（被設置部）に設置される器具本体を備えており、この器具本体に直管形蛍光ランプ等の光源部や、光源部を点灯制御する点灯装置が配設されている。
このような照明器具において、光源部や点灯装置の修理、交換等のメンテナンスが必要な場合がある。
【先行技術文献】
【特許文献】
【０００３】
【特許文献１】特開２００８−２９６７７４号公報
【発明の概要】
【発明が解決しようとする課題】
【０００４】
しかしながら、上記のような照明器具において、メンテナンス作業を行う場合には、器具本体、すなわち、照明器具全体を被設置部から取外し、光源部や点灯装置の修理、交換等を行わなければならない。このため、メンテナンス作業が煩雑となり、作業効率の低下を招くという課題が生じる。
【０００５】
本発明は、上記課題に鑑みなされたもので、メンテナンス作業の簡素化を図ることができ、作業効率を良好にすることが可能な照明器具を提供することを目的とする。
【課題を解決するための手段】
【０００６】
本発明の実施形態による照明器具は、器具本体を備えている。また、光源部と、光源部の光を出射するフロント部材開口と、光源部を点灯制御する点灯装置とを有するフロント部材と、フロント部材開口が設けられた前面壁上に形成された貫通孔に挿通されるとともに、器具本体にフロント部材を着脱可能に取付ける取付具とを具備している。
【発明の効果】
【０００７】
本発明の実施形態によれば、メンテナンス作業の簡素化を図ることができ、作業効率を良好にすることが可能な照明器具を提供することができる。
【図面の簡単な説明】
【０００８】
【図１】本発明の実施形態に係る照明器具を示す斜視図である。
【図２】同照明器具の取付状態を示す斜視図である。
【図３】同照明器具における器具本体の背面側を示す平面図である。
【図４】同照明器具におけるフロント部材の背面側を示す斜視図である。
【図５】同照明器具におけるカバーを前面側から見て示す斜視図である。
【図６】同照明器具におけるカバーを背面側から見て示す斜視図である。
【図７】同照明器具におけるカバーの部分的な拡大斜視図である。
【図８】同照明器具における一部を拡大して示す斜視図である。
【図９】同照明器具において、器具本体へフロント部材を取付ける状態を示す説明図である。
【図１０】同照明器具において、器具本体を前面側から見て示す一部斜視図である。
【図１１】同照明器具において、フロント部材の位置決め状態を背面側から見て示す一部斜視図である。
【発明を実施するための形態】
【０００９】
以下、本発明の実施形態について図１乃至図１１を参照して説明する。本実施形態では、バスや電車等の車両における車内灯として用いられる照明器具を示している。
【００１０】
図１は、照明器具の斜視図を示し、図２は、器具本体が被設置部に取付けられている状態において、フロント部材の取付状態を示す斜視図を示し、図３は、器具本体の背面側を示し、図４は、フロント部材の背面側を示している。また、図５乃至図７は、カバーを示し、図８は、照明器具の前面側における一部拡大斜視図を示し、図９は、器具本体へフロント部材を取付ける状態を拡大して示している。
【００１１】
さらに、図１０及び図１１は、フロント部材が仮止め手段によって器具本体に位置決めされる状態を示しており、図１０は、器具本体を前面側から見て示す一部斜視図、図１１は、フロント部材の位置決め状態を背面側から見て示す一部斜視図である。なお、各図において同一部分には同一符号を付し、重複した説明は省略する。
【００１２】
図１乃至図４に示すように、照明器具は、車両の天井面等の被設置部Ｃに取付けられる器具本体１と、この器具本体１に着脱可能に取付けられるフロント部材２と、このフロント部材２を器具本体１に取付ける取付具３とを備えている。また、フロント部材２には、光源部４、この光源部４を点灯制御する点灯装置５、光源部４を覆う透光性のカバー６が取付けられ配設されている。したがって、フロント部材２には、これら光源部４、点灯装置５及びカバー６が配設されてユニット化されている。
【００１３】
図２、図３及び図９に代表して示すように、器具本体１は、溶融亜鉛めっき鋼板等の金属板によって長尺状に形成されていて、長手方向に沿う両側には、前面側へ階段状に折曲された折曲側壁１１が形成されている。
【００１４】
また、器具本体１の長手方向の両端部には、一対の固定片１２ａを有する略コ字状の取付金具１２が設けられている。具体的には、取付金具１２は、固定片１２ａが折曲側壁１１にねじ止めされて取付けられている。この取付金具１２には、後述する取付具３が挿通する円形の挿通孔１２ｂが形成されており、また、取付金具１２の背面側には、Ｓ字状に形成された線材からなる係止手段１３が取付ねじによって装着されている。
このような係止手段１３の装着状態においては、係止手段１３は挿通孔１２ｂを横断するように配置されるようになる。
【００１５】
さらに、両側の折曲側壁１１には、長手方向に所定の間隔を空けて一対の仮止め手段１４が取付けられている。この仮止め手段１４は、図１０の参照を加えて示すように、略く字状に折曲形成され、背面側からねじ止めされて取付けられた弾性片である。この弾性片は、器具本体１の幅方向にやや広がった形態をなして、その幅方向に弾性変形可能な構成となっている。
【００１６】
なお、仮止め手段１４の個数は、設計に応じ適宜選定することができる。この場合、仮止め手段１４が係合する後述の嵌合孔２３ａは、仮止め手段１４の個数に応じて形成される。
【００１７】
図１、図２及び図４に代表して示すように、フロント部材２は、金属板によって概略箱状に形成され、器具本体１と同様に長尺状をなしている。フロント部材２は、前面壁２１、背面壁２２、側面壁２３及び端面壁２４を有している。
【００１８】
前面壁２１は、横長の略長方形状の主面２１ａ及びこの主面２１ａと連続した傾斜面２１ｂとから構成されている。そして、主面２１ａには、光源部４及びカバー６が配設される横長の長方形状の開口２１ｃ、すなわち、フロント部材開口が形成されている。
また、主面２１ａの両端部側には、貫通孔２１ｄ（図４及び図９を併せて参照）が形成されて取付具３が挿通するようになっている。
【００１９】
側面壁２１は、前面壁２１から突出するように設けられて、箱状の空間を形成しており、この箱状の空間には、前面壁と略平行に設けられた背面壁２２が設けられている。
【００２０】
図４に示すように、背面壁２２は、横長の長方形状をなしていて、長手方向の両端部には、前記貫通孔２１ｄと対向するとともに、前記取付金具１２と対向する矩形状の開口２２ａが形成されている。また、この開口２２ａの内側近傍には、ねじ貫通孔２２ｂが形成されている。このねじ貫通孔２２ｂには、カバー６をフロント部材２に背面側から取付けるための取付ねじ２２ｃが挿通するようになっている。また、背面壁２２における前面壁２１側には、光源部４が設けられているとともに、背面壁２２における光源部４が設けられている前面壁２１側とは反対側、すなわち、他方面側には、点灯装置５が取付けられている。
【００２１】
次に、側面壁２３の内側には、前記器具本体１に設けられた仮止め手段１４としての弾性片が嵌合する略四角形状の嵌合孔２３ａが形成されている。したがって、後述するように、この嵌合孔２３ａに仮止め手段１４が係合することにより、フロント部材２が器具本体１に仮止めされ位置決めされるようになっている。
【００２２】
図１及び図２に示すように、光源部４は、複数の長方形状の基板と、この基板に実装された光源としての複数のＬＥＤとから構成されるＬＥＤモジュールである。この基板は、長手方向に並べられて配設されている。
【００２３】
基板には、絶縁材、例えばガラスエポキシ又は紙フェノール等が用いられ、表面側には銅箔で形成された配線パターンが施されている。また、適宜レジスト層が施されるようになっている。なお、基板の材料は、金属製とする場合には、アルミニウム等の熱伝導性が良好で放熱性に優れたべース板の一面に絶縁層が積層された金属製のべース基板を適用するのが好ましい。
【００２４】
ＬＥＤは、表面実装型のＬＥＤパッケージである。概略的にはセラミックスや合成樹脂で形成された本体に配設されたＬＥＤチップと、このＬＥＤチップを封止するエポキシ系樹脂やシリコーン樹脂等のモールド用の透光性樹脂とから構成されている。
【００２５】
ＬＥＤチップは、青色光を発光する青色のＬＥＤチップである。透光性樹脂には、蛍光体が混入されており、白色光を出射できるようにするために、青色の光とは補色の関係にある黄色系の光を放射する黄色蛍光体が使用されている。
【００２６】
なお、ＬＥＤは、ＬＥＤチップを直接基板に実装するようにしてもよく、また、砲弾型のＬＥＤを実装するようにしてもよく、実装方式や形式は、格別限定されるものではない。
このように構成された光源部４は、フロント部材２における背面壁２２の前面側に取付けられて配設されるようになっている。
【００２７】
点灯装置５は、前述したように、フロント部材２の背面壁２２に取付けられている。点灯装置５は、箱状のケース内に回路部品を収容して構成されており、商用交流電源ＡＣに接続されて、この交流電源ＡＣを受けて直流出力を生成するものである。点灯装置５は、例えば、全波整流回路の出力端子間に平滑コンデンサを接続し、この平滑コンデンサに直流電圧変換回路及び電流検出手段を接続して構成されている。なお、点灯装置５は、外部の直流電源ＤＣに接続されて、直流電源ＤＣを受けて、ＬＥＤに直流出力を供給する形態であってもよい。したがって、点灯装置５は、ＬＥＤモジュールに接続されており、その直流出力をＬＥＤに供給し、ＬＥＤを点灯制御するようになっている。
【００２８】
図１、図２、図５乃至図６に示すように、カバー６は、透光性を有し、側断面が半円形状をなして長尺状に形成され、光源部４を覆うようになっている。カバー６は、透明のアクリル樹脂等によって形成されていて、その表面側には、ガラス繊維紙が貼着されている。これによりカバー６は、光を拡散する機能を有するようになっている。
【００２９】
また、カバー６の両端部における半円形状の開放側には、金属製の取付板６１が設けられている。この取付板６１には、取付ねじ２２ｃがねじ込まれるねじ穴６１ａが形成されている。
【００３０】
このように構成されたカバー６は、フロント部材２の開口２１ｃに配置され、図４に示すように、背面側からフロント部材２のねじ貫通孔２２ｂを挿通し、カバー６のねじ穴６１ａにねじ込まれる取付ねじ２２ｃによって取付けられる。
【００３１】
取付具３は、フロント部材２を器具本体１に取付ける止めねじ部材であり、図９に代表して示すように、円形状の頭部３１と、この頭部３１から延出する円筒状の軸部３２有している。頭部３１には、直径方向に操作溝３１ａが形成されている。この操作溝３１ａは、例えば、コインが挿入できる幅寸法を有しており、したがって、操作溝３１ａにコインを挿入し取付具３を回動操作できるようになっている。
【００３２】
また、軸部３２には、直径方向であって軸方向に沿って導入スリット３２ａが形成されており、さらに、この導入スリット３２ａの端部から連続するように周方向に係止スリット３２ｂが形成されている。
次に、主として図２、図９乃至図１１を参照して照明器具の設置状態及び器具本体１へのフロント部材２の取付状態について説明する。
【００３３】
図２に示すように、器具本体１は、被設置部Ｃに図示しない取付ボルト等によって、その背面側が被設置部Ｃに当接するように取付けられる。また、被設置部Ｃの背面側から器具本体１に形成された貫通孔を介して導出される電源線が点灯装置５に接続される。
【００３４】
この器具本体１が被設置部Ｃに取付けられた状態において、フロント部材２を器具本体１に取付ける。具体的には、フロント部材２を両手で支え、背面側を器具本体１に向けて押し上げる。このとき、図１０及び図１１に代表して示すように、器具本体１の折曲側壁１１には、仮止め手段１４が設けられており、この仮止め手段１４がフロント部材２の側面壁２３に押圧されて内側に弾性変形し、その後、弾性復帰して嵌合孔２３ａに嵌入して係合する。このため、フロント部材２は、器具本体１に仮止めされ位置決めされて保持されるようになる。
【００３５】
また、この状態においては、器具本体１に取付けられている取付金具１２がフロント部材２の背面壁２２に形成された開口２２ａに挿入されて嵌合し、同時に係止手段１３が挿入される位置関係になる（図９参照）。
【００３６】
フロント部材２の仮止め状態において、取付具３によってフロント部材２を器具本体１に固定的に取付ける。図９に示すように、取付具３の軸部３２をフロント部材２の前面壁２１側から貫通孔２１ｄを挿通させ、さらに、取付金具１２に形成された挿通孔１２ｂを挿通させ、導入スリット３２ａに線材からなる係止手段１３を導入させる。
【００３７】
続いて、コイン等を用いて、取付具３の頭部３１における操作溝３１ａにコイン等を挿入し取付具３を所定の角度回動操作して、係止手段１３が係止スリット３２ｂに係合するように操作する。このような取付具３の操作をフロント部材２の両端部の２箇所において行うことにより、フロント部材２は、器具本体１に取付けられる。
【００３８】
この場合、フロント部材２は、器具本体１に予め位置決めされるので取付作業が行いやすく、また、取付具３の回動操作は、ドライバ等の格別な工具を用いることなく行えるので、作業性が良好となる。
【００３９】
照明器具の設置状態において、点灯装置５に電力が供給されると、光源部４におけるＬＥＤモジュールに通電されＬＥＤは発光する。ＬＥＤから出射された光は、カバー６の前面側及び両端側を透過して、つまり、略全周を透過して拡散され、所定範囲に照射される。
【００４０】
また、ＬＥＤの発光に伴い熱が発生する。この熱は、基板を介してフロント部材２における背面壁２２へ伝導され、さらに、フロント部材２全体に伝導されて放熱される。
【００４１】
以上のような照明器具の構成によれば、光源部４や点灯装置５の修理、交換等のメンテナンス作業を行う場合、器具本体１を被設置部から取外すことなく、フロント部材２を器具本体１から取外すことによって作業を行うことができる。つまり、フロント部材２には、光源部４、カバー６及び点灯装置５が配設されてユニット化されているため、このフロント部材２を取外すことにより、これら部品の修理、交換等のメンテナンス作業を行うことが可能となる。なお、カバー６を備えることが好ましいが、カバー６は、必須の構成要素ではない。
【００４２】
換言すれば、本実施形態の照明器具は、被設置部に取付けられる器具本体１と、この器具本体１に着脱可能に取付けられるフロント部材２とで２部品化されているので、メンテナンス作業の簡素化を図ることができ、作業効率を良好なものとすることができる。
また、フロント部材２の着脱に際し、取付具３の操作は、工具を用いることなく行うことができるので、作業性が良好となる。
さらに、器具本体１にフロント部材２を取付ける場合、フロント部材２は、予め位置決めされるので取付作業が行いやすいという効果を奏することができる。
以上のように本実施形態によれば、メンテナンス作業の簡素化を図ることができ、作業効率を良好にすることが可能な照明器具を提供することができる。
【００４３】
なお、本発明は、上記実施形態の構成に限定されることなく、発明の要旨を逸脱しない範囲で種々の変形が可能である。例えば、取付具は、上記実施形態の止めねじ部材の構成に限らない。器具本体にフロント部材を着脱可能に取付けることができる部材であればよい。
【符号の説明】
【００４４】
１・・・器具本体、２・・・フロント部材、
３・・・取付具、４・・・光源部（ＬＥＤモジュール）、
５・・・点灯装置、６・・・カバー、
１２・・・取付金具、１３・・・係止手段、
１４・・・仮止め手段、２１・・・前面壁、
２１ｃ・・・フロント部材開口、２１ｄ・・・貫通孔、
２２・・・背面壁、２２ａ・・・背面壁開口、
２３・・・側面壁、３１・・・頭部、
３２・・・軸部、３２ａ・・・導入スリット、
３２ｂ・・・係止スリット、Ｃ・・・被設置部
【図１】
2012243392.tif 000003
【図２】
2012243392.tif 000004
【図３】
2012243392.tif 000005
【図４】
2012243392.tif 000006
【図５】
2012243392.tif 000007
【図６】
2012243392.tif 000008
【図７】
2012243392.tif 000009
【図８】
2012243392.tif 000010
【図９】
2012243392.tif 000011
【図１０】
2012243392.tif 000012
【図１１】
2012243392.tif 000013